(57)【要約】【課題】  製造も容易になる簡単な構造で、しかも伸縮範囲を広く形成することができる一着でフリーサイズの大きさで着用できるつなぎ服型の作業衣を提供すること。【解決手段】  上半身に着用する袖筒を有する上衣と下半身に着用する脚筒を有する下衣とが一体に形成されたつなぎ服型作業衣において、上衣の左右の袖筒における略腋下の近傍から当該作業衣の左右側部を通って下衣の左右の腰部近傍までの間に、左右側の夫々にゴム紐等の伸縮性部材を伸張状態で当該作業衣に縫着したこと。【選択図】図３
0003202437.tif 000002
【実用新案登録請求の範囲】
【請求項１】
上半身に着用する袖筒を有する上衣と下半身に着用する脚筒を有する下衣とが一体に形成されたつなぎ服型作業衣において、上衣の左右の袖筒の肘近傍を含む略腋下近傍から当該作業衣の左右側部を通って下衣の左右の腰部近傍までの間に、左右側で夫々にゴム紐等の伸縮性部材を伸張状態で前記作業衣に縫着したことを特徴とするフリーサイズのつなぎ服型作業衣。
【請求項２】
伸縮性部材は、左右の袖筒の肘近傍を含む腋下近傍を通り左右の腰部近傍まで通しの１本部材で設けた請求項１の作業衣。
【請求項３】
作業衣の胴部の周囲に、伸縮性部材、又は、紐やベルト等を設けた請求項１又は２の作業衣。
【請求項４】
伸縮性部材は、作業衣を形成する少なくとも袖筒と胴部における構成部材の縫合部の縫着と一緒に、伸張状態で前記縫合部に沿って、又は、前記縫合部と一緒に縫着した請求項１〜３のいずれかの作業衣。
【考案の詳細な説明】
【技術分野】
【０００１】
本考案は、原子力施設等の放射線管理区域の中での作業や農薬散布等の作業において着用するつなぎ服型の作業衣に関する。
【背景技術】
【０００２】
従来から上記のような作業において着用するつなぎ服型作業衣において、一着の作業衣をフリーサイズで使用できるようにした作業衣が、特許文献１などにより提案されており、実用に供されているものもある。
【０００３】
提案されている作業衣は、確かに１着でＳサイズからＸＬサイズまでなど、複数段階のサイズ対応できる構造、例えば伸縮構造を有しているが、伸縮のための構造が複雑であったり、伸縮可能な範囲が不充分あるなど未だ解決すべき課題が残っている。
【先行技術文献】
【特許文献】
【０００４】
【特許文献１】特許第４５４０２７１号公報
【特許文献２】実開平０４−６９４１０号公報
【特許文献３】実開平０２−１２２０１２号公報
【特許文献４】実開平０１−１４２４０７号公報
【考案の概要】
【考案が解決しようとする課題】
【０００５】
そこで本考案は、製造も容易になる簡単な構造で、しかも伸縮範囲を広く形成することができる一着でフリーサイズの大きさで着用できるつなぎ服型の作業衣を提供することを、その課題とする。
【課題を解決するための手段】
【０００６】
上記課題を解決することを目的としてなされた本考案作業衣の構成は、上半身に着用する袖筒を有する上衣と下半身に着用する脚筒を有する下衣とが一体に形成されたつなぎ服型作業衣において、上衣の左右の袖筒における略腋下の近傍から当該作業衣の左右側部を通って下衣の左右の腰部近傍までの間に、左右側の夫々にゴム紐等の伸縮性部材を伸張状態で当該作業衣に縫着したことを特徴とするものである。
【０００７】
伸縮性部材は、左右の袖筒の肘近傍からそれぞれの腋下を通り左右の腰部近傍まで通しで設けてもよいし、前記の各部位ごとに独立した形の伸縮性部材を夫々に逢着するようにしてもよい。
また、作業衣の胴部の周囲に、前記と同様の伸縮性部材、又は、紐やベルト等を設けることもある。
【０００８】
前記伸縮性部材の縫着では、前記作業衣を形成する構成部材の縫合部分を縫着するとき、その縫着と一緒に伸縮性部材を伸張状態にして縫着すると、縫着作業が合理的になると共に、縫着部分をスマートに仕上げることができる。例えば、袖筒は、当該袖筒の下面側に位置する縫合線に沿って伸縮性部材を縫着し、該袖筒に続く胴部では、前身頃部材と後身頃部材の縫合線に沿って伸縮性部材を縫着するとよい。
【考案の効果】
【０００９】
本考案では、つなぎ服型の作業衣において、上衣の左右の袖筒の肘近傍を含む略腋下近傍から当該作業衣の左右側部を通って下衣の左右の腰部近傍までの間に、左右側で夫々にゴム紐等の伸縮性部材を伸張状態で前記作業衣に縫着したから、一着の作業衣をフリーサイズの作業衣として使用することができる。特に本考案では、フリーサイズを実現させるためのゴムテープ等の伸縮性部材を、上衣の袖筒の肘部近傍から腋下にかかる部位から胴部の左右側を通って下衣の左右の腰部近傍までの間の短い区間に、当該作業衣の構成部材の縫合線の逢着に合わせて設けたから、フリーサイズのための構造が至って簡潔になり、また、シンプルな構造でも大きな伸縮範囲を実現することができる。
【図面の簡単な説明】
【００１０】
【図１】本考案を適用するつなぎ服型作業衣を展開した一例の正面図。
【図２】図１の作業衣を本考案を適用して縮小しフリーサイズ作業衣に形成した一例の正面図。
【図３】図２の本考案作業衣における要部を断面にした正断面図。
【考案の実施をするための形態】
【００１１】
図１は、本考案を適用するための上下つなぎ服型作業衣Ｗの正面図で、この図の作業衣Ｗにおいて１は上衣部、２は核上衣部と腰部近傍を境界として一体に形成されたズボン状の下衣部である。なお、作業衣Ｗは、織布，編布，不織物，プラスチックフィルム地などのいずれかで形成されたものであれば本考案が適用できる。
【００１２】
上衣部１は、一例として少なくとも眼，鼻を露出させる顔出窓１０ａを前面に有するフード１０と、前記フード１０と肩近傍で一体に撃がっている左右の袖筒１１Ｌ，１１Ｒと、該袖筒１１Ｌ，１１Ｒと一体の胴部１２とから成る。
【００１３】
下衣部２は、その上部である腰部２１において前記上衣部１との接続部３を介して一体化されたズボン状体により形成されており、左右の脚筒２２Ｌ，２２Ｒを具備している。
【００１４】
上記作業衣Ｗは、上衣部１の顔出部１０ａから下衣部２の股間部の近傍の間に、この作業衣Ｗの着脱用のラインファスナ４が設けられている。４ａはそのファスナのスライダである。
【００１５】
上記作業衣Ｗにおいて、１１ａは袖筒１１Ｌ，１１Ｒの長さ方向に沿った縫合線である。この縫合線１１ａは袖筒１１Ｌ，１１Ｒの腋下部を通って胴部１２の両脇の縫合線１２ａに繋がっている。上衣部１と下衣部２の接続部３は、上衣部１の下端と下衣部２の上端との縫合線３ａによって形成されている。１２ａは脚筒２２Ｌ，２２Ｒの内面側に形成された縫合線である。
【００１６】
上記作業衣Ｗにおいて、両袖部１１Ｌ，１１Ｒの先端部、並びに左右の脚筒部２２Ｌ，２２Ｒの先端部は、ゴムバンドや紐などの環状の伸縮部材を組込んだ絞り部１１ｂ，１２ｂに形成されている。
【００１７】
以上により、本考案を適用する上下つなぎ服型作業衣Ｗの一例を形成する。
本考案は、図１に例示した作業衣Ｗの両袖筒１１Ｌ，１１Ｒにおいて、肘部近傍を含む腋下近傍の左右の縫合線１１ａに沿ってゴムテープ状の伸縮性部材Ｂを伸長状態で、前記縫合線１１ａの縫着の際に当該縫合線１１ａに一緒に縫い着けるか、又は、縫合線１１ａの縫着とは別に縫合線１１ａに沿って縫い着ける。
【００１８】
上記の左右の伸縮性部材Ｂは、その余長部を胴部１２の左右両脇の縫合線１２ａに沿って伸長状態で一緒に縫い着けるか、又は、縫合線１２ａの縫着とは別に縫合線１２に沿って縫い着ける。
【００１９】
さらに胴部１２の左右に縫い付けた上記伸縮性部材１３の余長部は、左右両側の腰部２１に伸張状態にして縫い付けることにより、図１の作業衣Ｗが、図２に模式的に例示したフリーサイズの作業服Ｗｆに形成される。
【００２０】
図１において伸長状態にあった左右の袖筒１１Ｌ，１１Ｒ、胴部１２及び左右の脚筒２２Ｌ，２２Ｒには、伸長された伸縮性部材Ｂを前記の両袖筒１１Ｌ，１１Ｒ、胴部１２、両脚部２２Ｌ，２２Ｒへ伸長状態のまま縫い着けたが、当該伸縮性部材Ｂの強制的伸長状態が解かれると、図２に模式的に示したように、前記袖筒１１Ｌ，１１Ｒ、胴部１２、脚筒２２Ｌ，２２Ｒが前記伸縮性部材Ｂの復元（縮小する）によって縮み込む。
【００２１】
上記のようにして前記袖筒１１Ｌ，１１Ｒ，同部１２，両脚筒２２Ｌが縮み込んだ状態の図２の作業服Ｗｆは、図２に示した状態がいわばＳ（スモール）サイズである。
【００２２】
そこで、Ｓサイズより身体が大きい人が図２の作業服Ｗｆを着用すると、縮み込んでいる両袖筒１１Ｌ，１１Ｒ，胴部１２，脚筒２２Ｌ，２２Ｒが、縮み込んでいる伸縮性部材Ｂの縮み力に抗して伸長される。これによって、当該作業服Ｗｆは着用者の身体の大きさに合わせて伸びるから、フリーサイズの作業服として身体の大小に拘わらず、一着の作業衣Ｗｆを着用することができる。
【００２３】
上記において、作業衣Ｗの袖筒１１Ｌ，１２Ｒ、胴部１２の両脇、両脚筒２２Ｌ，２２Ｒに伸長状態で縫い付けられるゴムテープ等の伸縮性部材Ｂは、先の説明では１本の通し材（例えばゴムテープ）を各部位に縫い付ける形態であったが（図３参照）、本考案では、各部位ごとに独立した長さのゴムテープ等の伸縮性部材Ｂを縫い着けるようにしてもよい。
【００２４】
本考案においては、上衣部１に縫い付ける伸縮性部材Ｂは、袖筒１１Ｌ，１１Ｒの縫合線１１ａと胴部１２の縫合線１２ａに沿った配置とし、下衣部２の伸縮性部材Ｂは、図示しないが、脚筒２２Ｌ，２２Ｒの縫合線１２ａが在る脚筒２２Ｌ，２２Ｒの内側（股間側）に、前記縫合線１２ａに沿って設けるようにしてもよい。
【００２５】
伸縮性部材Ｂを、各部位の縫合線１１ａ，１２ａ，２２ａに沿って設けると、各部位の縫合の際に伸縮性部材Ｂを所定部位に縫い付けることができて合理的であり、また、伸縮性部材Ｂの縫い着け線も目立たない。
【００２６】
本考案は以上の通りであって、一着の上下つなぎ服型作業衣をフリーサイズの作業衣として使用できるので、作業衣を製造する上では勿論、着用する上でもきわめて合理的である。
【符号の説明】
【００２７】
１  上衣部
１０  フード
１１Ｌ，１１Ｒ  袖筒
１２  胴部
２  下衣部
２１  腰部
２２Ｌ，２２Ｒ  脚筒
３  上下衣の接続部
４  ラインファスナ
【図１】
0003202437.tif 000003
【図２】
0003202437.tif 000004
【図３】
0003202437.tif 000005